(57)【要約】【課題】揮発性有機化合物（ＶＯＣ）に該当しない溶剤、及び香料を含有し、ＶＯＣ規制を受けないにも拘らず、ＶＯＣが含有されている従来品と同等の揮発性能を有する芳香剤組成物を提供すること。【解決手段】３−ヒドロキシ−３−メチルブチルアセテート及び３−アセトキシ−３−メチルブチルアセテートから選択される溶剤の少なくとも一種、及び香料を含有する芳香剤組成物。【選択図】なし【特許請求の範囲】
【請求項１】
３−ヒドロキシ−３−メチルブチルアセテート及び３−アセトキシ−３−メチルブチルアセテートから選択される溶剤の少なくとも一種、及び香料を含有する芳香剤組成物。
【請求項２】
前記芳香剤組成物における３−ヒドロキシ−３−メチルブチルアセテート及び３−アセトキシ−３−メチルブチルアセテートから選択される溶剤の含有量が前記芳香剤組成物の全量に対して１０〜９９質量％である、請求項１記載の芳香剤組成物。
【発明の詳細な説明】
【技術分野】
【０００１】
本発明は、芳香剤組成物に関する。詳細には、本発明は、揮発性有機化合物に該当しない溶剤、及び香料を含有する芳香剤組成物に関する。
【背景技術】
【０００２】
室内空間や収納空間の臭気による不快感をなくし、快適な空間を生み出すために、芳香剤が広く使用されている。
【０００３】
芳香剤は、主に香料と溶剤で構成された芳香剤組成物を揮発装置によって室内空間や収納空間に揮散させることによって効果を発揮し、その揮散の程度は用いる芳香剤組成物の原料の組み合わせや揮散装置によって制御できる。
【０００４】
揮散装置には様々な種類があり、例えば、籐等天然由来の木片を揮散部材として用いて自然蒸散させるリードディフューザー（特許文献１）や、吸液芯部分に発熱体を取り付けて加熱することによって組成物を蒸散させるプラグタイプ（特許文献２及び特許文献３）、吸液芯部分にファンを取り付け、強制的に揮散させるファンタイプなどがある。
【０００５】
揮散装置によって、芳香剤組成物に用いる香料や溶剤の種類及び配合は異なるが、これらの芳香剤組成物に用いる溶剤として、これまで主にエタノールや３−メトキシ−３−メチル−1−ブタノール、ジプロピレングリコールモノメチルエーテル等が使用されてきた。しかし、最近、「ＶＯＣ」に関する規制に伴い、芳香剤組成物中のこれら溶剤の含量が規制されるようになった。「ＶＯＣ」とは、「Ｖｏｌａｔｉｌｅ Ｏｒｇａｎｉｃ Ｃｏｍｐｏｕｎｄｓ（揮発性有機化合物）」の略で、当業者には公知の用語である。「ＶＯＣ」に関する規制（以下「ＶＯＣ規制」と称する場合がある）としては、例えば米国カリフォルニア州における一般消費者製品規則（第２項）があり、販売又は製造時に指定限界を超えて「ＶＯＣ」を含有する消費者製品の販売、供給、販売の申込み、又は製造を取り締まる。本規制における「ＶＯＣ」とは、Ｃａｌｉｆｏｒｎｉａ Ｃｏｎｓｕｍｅｒ Ｐｒｏｄｕｃｔｓ ＲｅｇｕｌａｔｉｏｎのＡｒｔｉｃｌｅ ２，§９４５０８（ａ）（１５５）によって定められており、エタノールや３−メトキシ−３−メチル−1−ブタノール、ジプロピレングリコールモノメチルエーテルはそれに該当する。
【０００６】
したがって、芳香剤組成物中の溶剤として用いられる「ＶＯＣ」（以下「溶剤として用いられる「ＶＯＣ」」をＶＯＣ溶剤と称する）の含量を指定限界以下まで低減する必要がある。しかしながら、上記のＶＯＣ溶剤は、芳香剤組成物の揮散プロファイルを保持することや香料成分の芳香剤組成物中への溶解に寄与しており、その含量を単純に低減すると製品性能を損なう恐れがある。
芳香剤組成物中のＶＯＣ溶剤の含量を低減させる手段として、前述の「ＶＯＣ」の定義に該当しない物性を持ち、かつ芳香剤組成物を構成する溶剤として使用しても製品性能を充分に発揮しうる溶剤に置き換えることが考えられる。
【０００７】
「ＶＯＣ」に該当しない有機化合物としては、例えば「ＬＶＰ−ＶＯＣ」を挙げることができる。「ＬＶＰ−ＶＯＣ」は（１）標準圧力での沸点が２１６℃以上、（２）２０℃での蒸気圧が０．１ｍｍＨｇ以下、（３）炭素数が１２より多い、のうち、少なくとも１つの条件を満たすものと定義されている。ここで、「ＬＶＰ−ＶＯＣ」とは、Ｃａｌｉｆｏｒｎｉａ Ｃｏｎｓｕｍｅｒ Ｐｒｏｄｕｃｔｓ ＲｅｇｕｌａｔｉｏｎのＡｒｔｉｃｌｅ ２，§９４５０８（ａ）（９８）によって定められており、「Ｌｏｗ  ｖａｐｏｒ ｐｒｅｓｓｕｒｅ Ｖｏｌａｔｉｌｅ Ｏｒｇａｎｉｃ Ｃｏｍｐｏｕｎｄｓ（低蒸気圧揮発性有機化合物）」の略である。以下溶剤として用いられるＬＶＰ−ＶＯＣをＬＶＰ−ＶＯＣ溶剤と称する。
【０００８】
芳香剤組成物に用いられるＬＶＰ−ＶＯＣ溶剤としては、高沸点の炭化水素溶剤やジプロピレングリコールモノメチルエーテルアセテート（ＤＰＭＡ）等が知られている。しかし、芳香剤組成物に所望する揮発速度や、組み合わせて用いる香料が様々であり、上記のＬＶＰ−ＶＯＣ溶剤のみで揮発速度を制御したり、香料を芳香剤組成物に均一に溶解させたりすることが出来ない場合があり、さらに多種のＬＶＰ−ＶＯＣ溶剤の上市が望まれている。
【先行技術文献】
【特許文献】
【０００９】
【特許文献１】特開２０１１−２１２２７１号公報
【特許文献２】特開２００９−１３６３７４号公報
【特許文献３】米国特許第５，６４７，０５３号明細書
【発明の概要】
【発明が解決しようとする課題】
【００１０】
本発明は、「ＶＯＣ」に該当せず、かつ芳香剤組成物を構成する溶剤として使用した場合に、芳香剤組成物を安定的に揮散させることができ、製品機能を充分に発揮し得る溶剤を含有することを特徴とした芳香剤組成物を提供することを目的とする。
【課題を解決するための手段】
【００１１】
本発明者らが鋭意検討した結果、３−メチル−１，３−ブタンジオールの酢酸エステルである３−ヒドロキシ−３−メチルブチルアセテート（以下、ＩＰＤ−ＡＣと称することがある。）及び３−アセトキシ−３−メチルブチルアセテート（以下、ＩＰＤ−ＤＡと称することがある。）が「ＶＯＣ」に該当せず、かつ芳香剤組成物を構成する溶剤として使用しても製品機能を充分に発揮し得る溶剤であることを見出し、本発明を完成した。
【００１２】
即ち、本発明は、下記［１］及び［２］を提供する。
［１］３−ヒドロキシ−３−メチルブチルアセテート（ＩＰＤ−ＡＣ）及び３−アセトキシ−３−メチルブチルアセテート（ＩＰＤ−ＤＡ）から選択される溶剤の少なくとも一種及び香料を含有する芳香剤組成物。
［２］前記芳香剤組成物における、３−ヒドロキシ−３−メチルブチルアセテート（ＩＰＤ−ＡＣ）及び３−アセトキシ−３−メチルブチルアセテート（ＩＰＤ−ＤＡ）から選択される溶剤の含有量が前記芳香剤組成物の全量に対して１０〜９９質量％である、上記［１］の芳香剤組成物。
【発明の効果】
【００１３】
本発明によれば、ＩＰＤ−ＡＣ及びＩＰＤ−ＤＡの少なくとも一種を用いることで、ＶＯＣ規制を受けない芳香剤組成物を得ることができる。本発明の芳香剤組成物は、安定的に香料を揮散させることができ、ＶＯＣに該当しない溶剤を用いるため、安全に使用することができる。
【図面の簡単な説明】
【００１４】
【図１】実施例等で調製した各種芳香剤組成物の、リードディフューザーでの揮発試験結果での質量減少率（％）と経時（日）の関係を示す図である。
【図２】実施例等で調製した各種芳香剤組成物の、プラグタイプ揮散装置での揮発試験結果での質量減少率（％）と経時（日）の関係を示す図である。
【発明を実施するための形態】
【００１５】
［構成原料］
本発明の芳香剤組成物は、３−ヒドロキシ−３−メチルブチルアセテート（ＩＰＤ−ＡＣ）及び３−アセトキシ−３−メチルブチルアセテート（ＩＰＤ−ＤＡ）から選択される溶剤の少なくとも１種、及び香料を含有する。
【００１６】
〔溶剤〕
ＩＰＤ−ＡＣ及びＩＰＤ−ＤＡは、３−メチル−１，３−ブタンジオールの酢酸エステル化によって製造され得る化合物である。これらの２０℃での蒸気圧は、それぞれ０．０３ｍｍＨｇ、０．０６ｍｍＨｇでＬＶＰ−ＶＯＣである。したがって、ＶＯＣに該当せず、含量の制限無く芳香剤組成物に配合することが出来る。
ＩＰＤ−ＡＣ及びＩＰＤ−ＤＡの構造を下記に示す。
【００１７】
【化１】
2015204850.tif 000002
【００１８】
本発明の芳香剤組成物に含有させるＩＰＤ−ＡＣ及びＩＰＤ−ＤＡの含有量には特に制限はないが、好ましくは１０〜９９質量％、さらに好ましくは４０〜９５質量％の範囲である。ＩＰＤ−ＡＣ及びＩＰＤ−ＤＡを混合して用いる場合は、合計で上記の範囲であることが好ましい。１０質量％以上であれば、揮発速度や香料の溶解性に十分な効果が得られ、９９質量％以下であれば香料成分の含量が確保でき、芳香剤としての機能をより発揮できる。
ＩＰＤ−ＡＣとＩＰＤ−ＤＡを混合して用いる場合、その混合比にも特に制限はないが、質量比として、好ましくは（ＩＰＤ−ＡＣ）／（ＩＰＤ−ＤＡ）＝５０／５０〜９９／１の範囲であり、７５／２５〜９８／２の範囲がより好ましく、８０／２０〜９５／５の範囲が更に好ましい。
【００１９】
本発明の芳香剤組成物中のＩＰＤ−ＡＣ及びＩＰＤ−ＤＡ以外の構成成分としては、本発明の効果を損なわない限り特に制限はなく、ＩＰＤ−ＡＣ及びＩＰＤ−ＤＡ以外の他の溶剤、香料のほか、さらに必要に応じて界面活性剤、染料等を添加することができる。
【００２０】
〔他の溶剤〕
上記した、ＩＰＤ−ＡＣ及びＩＰＤ−ＤＡ以外の他の溶剤としては、例えばエタノール、ｎ−プロパノール、３−メトキシ−１−ブタノール、３−メチル−３−メトキシ−1−ブタノール等のアルコール；プロピレングリコールモノメチルエーテル、ジプロピレングリコールモノメチルエーテル、ブロピレングリコールモノエチルエーテル、プロピレングリコールモノプロピルエーテル、プロピレングリコールモノブチルエーテル、ジプロピレングリコールモノエチルエーテル、ジプロピレングリコールモノプロピルエーテル、ジプロピレングリコールモノブチルエーテル、トリプロピレングリコールモノエチルエーテル、エチレングリコールモノエチルエーテル、エチレングリコールモノプロピルエーテル、エチレングリコールモノブチルエーテル、ジエチレングリコールモノメチルエーテル、ジエチレングリコールモノエチルエーテル、ジエチレングリコールモノプロピルエーテル、ジエチレングリコールモノブチルエーテル等のグリコールエーテル；エチレングリコール、プロピレングリコール、ジエチレングリコール、ジプロピレングリコール、トリプロピレングリコール等のグリコール；１−ヒドロキシ−３−メチルブチル−３−アセテート、ジエチレングリコールモノメチルエーテルアセテート、ジエチレングリコールモノエチルエーテルアセテート、ジエチレングリコールモノブチルエーテルアセテート、プロピレングリコールモノメチルエーテルアセテート、プロピレングリコールモノエチルエーテルアセテート、プロピレングリコールモノプロピルエーテルアセテート、プロピレングリコールモノブチルエーテルアセテート、ジプロピレングリコールモノメチルエーテルアセテート等のエステル類；パラフィン系及びナフテン系炭化水素；水等が挙げられる。これらは１種類を単独で用いても良いし、２種類以上を併用して用いても良い。
【００２１】
ＩＰＤ−ＡＣ及びＩＰＤ−ＤＡ以外の、上記した他の溶剤を本発明の芳香剤組成物に含有させる場合、その含有量は、少ない方が結果としてＩＰＤ−ＡＣやＩＰＤ−ＤＡの含有量が増加し、本発明の芳香剤組成物としての十分な効果が発揮できる。かかる観点から、ＩＰＤ−ＡＣ及びＩＰＤ−ＤＡ以外の他の溶剤を本発明の芳香剤組成物に含有させる場合、その含有量は芳香剤組成物の全量に対して０より多く、４０質量％以下の範囲であることが好ましく、５〜４０質量％の範囲であることがより好ましい。
【００２２】
〔香料〕
本発明の芳香剤組成物に含有させる香料としては、天然香料、天然香料から分離された単離香料、合成香料のいずれであってもよく、従来の芳香剤に使用されている公知の香料を特に制限なく使用することができる。かかる香料としては、例えば炭素数６〜１２のアルデヒド、アニスアルデヒド、アセタールＲ、アセトフェノン、アセチルセドレン、アドキサール、アリルアミルグリコレート、アリルシクロヘキサンプロピオネート、アルファダマスコン、アンブレットリッド、アンブロキサン、アミルシンナミックアルデヒド、アミルシンナミックアルデヒドジメチルアセタール、アミルバレリアネート、アミルサリシレート、イソアミルアセテート、アセチルユゲノール、イソアミルサリシレート、インドール、α−イオノン、β−イオノン、α−メチルイオノン、β−メチルイオノン、γ−メチルイオノン、インデン、エチルワニリン、オウランチオール、オークモスＮｏ.１、オリボン、オキシフェニロン、カリオフィレン、カシュメラン、カルボン、ガラキソリッド、キャロン、クマリン、パラクレジールメチルエーテル、ゲラニオール、ゲラニルアセテート、ゲラニルホルメート、ゲラニルニトリル、テトラヒドロゲラニオール、テトラヒドロゲラニールアセテート、コアボン、サンダロア、サンデラ、サンタレックス、サンタリノール、メチルサリシレート、シンナミックアルコール、シンナミックアルデヒド、シスジャスモン、シトラール、シトラールジメチルアセタール、シトラサール、シトロネラール、シトロネロール、シトロネリルアセテート、シトロネリルホルメート、シトロネリルニトリル、シクラセット、シクラメンアルデヒド、シクラプロップ、シンナミルアセテート、ジヒドロジャスモン、ジメトール、イソシクロシトラール、ジャスマール、ジャスモラクトン、ジャスモフィラン、スチラリールアセテート、スチラリールプロピオネート、セドロアンバー、セドリルアセテート、セドロール、セレストリッド、β−ダマスコン、α−ターピネオール、γ−ターピネオール、ターピニルアセテート、チモール、デルタダマスコン、δＣ６〜Ｃ１３ラクトン、トナリッド、トラセオライド、トリプラール、イソノニルアセテート、ネロール、ネリールアセテート、ネオベルガメート、ノピールアセテート、ノピールアルコール、バクダノール、ヒヤシンスジメチルアセタール、ヒドロトロピックアルコール、ヒドロキシシトロネラール、α−ピネン、ブチルブチレート、パラｔ−ブチルシクロヘキサノール、パラｔ−ブチルシクロヘキシルアセテート、オルトｔ−ブチルシクロヘキサノール、ジフェニルオキサイド、フルイテート、フェンチールアルコール、フェニルエチルフェニルアセテート、イソブチルキノリン、フェニルエチルアルコール、フェニルエチルアセテート、フェニルアセトアルデヒドジメチルアセタール、ベンジルアセテート、ベンジルアルコール、ベンジルサリシレート、ベルガミールアセテート、ベンズアルデヒド、ベンジルホルメート、ジメチルベンジルカルビノール、ヘディオン、ヘリオナール、ヘリオトロピン、シス−３−ヘキセノール、シス−３−ヘキセニルアセテート、シス−３−ヘキセニルサリシレート、ヘキシルシンナミックアルデヒド、ヘキシルサリシレート、ペンタリッド、ベルドックス、オルトボルニルアセテート、イソボルニルアセテート、イソボルネオール、ｅｎｄｏ−ボルネオール、マンザネート、マイヨール、ミューゲアルデヒド、ミラックアルデヒド、ジヒドロミルセノール、ジミルセトール、ムゴール、ムスクＴＭ−II、ムスク７８１、ムスクＣ−１４、ムスクＴ、ムスクケトン、ムスクチベチン、ムスクモスケン、メンサニールアセテート、メンソネート、メチルアンスラニレート、メチルユゲノール、メントール、メチルフェニルアセテート、ユゲノール、イソユゲノール、メチルイソユゲノール、γＣ６〜Ｃ１３ラクトン、ライムオキサイド、メチルラベンダーケトン、ジヒドロリナロール、リグストラール、リリアール、リモネン、リナロール、リナロールオキサイド、テトラヒドロリナロール、テトラヒドロリナリールアセテート、リナリルアセテート、リラール、ルバフラン、ローズフェノン、ローズオキサイド、ワニリン、ベンゾイン、ペルーバルサム、トルーバルサム、チュベローズ油、ムスクチンキ、カストリウムチンキ、シベットチンキ、アンバーグリスチンキ、ペパーミント油、ペリラ油、プチグレン油、パイン油、ローズ油、ローズマリー油、しょう脳油、芳油、クラリーセージ油、サンダルウッド油、スペアミント油、スパイクラベンダー油、スターアニス油、ラバンジン油、ラベンダー油、レモン油、レモングラス油、ライム油、ネロリ油、オークモス油、オコチア油、パチュリ油、タイム油、トンカ豆チンキ、テレピン油、ワニラ豆チンキ、バジル油、ナツメグ油、シトロネラ油、クローブ油、ボアドローズ油、カナンガ油、カルダモン油、カシア油、シダーウッド油、オレンジ油、マンダリン油、タンジェリン油、アニス油、ベイ油、コリアンダー油、エレミ油、ユーカリ油、フェンネル油、ガルバナム油、ゼラニウム油、ヒバ油、桧油、ジャスミン油、ベチバー油、ベルガモット油、イランイラン油、グレープフルーツ油、ゆず油等が挙げられる。これらの香料は、１種類を単独で使用してもよく、２種以上を任意に組み合わせて調香して使用してもよい。例えば、ナチュラサイコス（Ｎａｔｕｒａｓ Ｐｓｙｃｈｏｓ）社製ラベンダーフレンチエッセンシャルオイル、レモングラスエッセンシャルオイル等が挙げられる。
【００２３】
本発明の芳香剤組成物における上記香料成分の配合割合については、当該成分の種類に応じて適宜設定されるが、好ましくは０．０１〜５０質量％、より好ましくは０．０１〜３０質量％である。０．０１質量％以上であれば、芳香剤組成物における香料の香りが感じられ、一方、５０質量％以下であれば、香料の香りが強すぎず、不快感を与えることがない。
【００２４】
［揮散装置］
本発明の芳香剤組成物は、揮散装置を用いて揮散してもよい。揮散装置は特に制限無く使用でき、例えば、リードディフューザー、プラグタイプ、ファンタイプと呼ばれる揮散装置が挙げられる。
リードディフューザーは、籐の木片やポリエチレンテレフタレート（ＰＥＴ）製の芯の一部を芳香剤組成物に浸し、毛細管現象によって組成物を吸い上げ、自然蒸発を促進するものである。
プラグタイプと呼ばれる揮散装置は、ＰＥＴ製や木綿製の芯の一部を芳香剤組成物に浸し、毛細管現象によって組成物を吸い上げ、その吸い上げられた組成物を装置に組み込まれた発熱体によって加熱することによって揮散するものである。具体的には特許文献２及び特許文献３に記載の揮散装置等が挙げられる。
ファンタイプと呼ばれる揮散装置は、ＰＥＴや木綿製の芯の一部を芳香剤組成物に浸し、毛細管現象によって組成物を吸い上げ、その吸い上げられた組成物を装置に組み込まれたファンによって揮散するものである。
【００２５】
さらに、噴射式の揮散装置を用いることもでき、本発明の芳香剤組成物を液化天然ガス（ＬＰＧ）やジメチルエーテル、二酸化炭素等の圧縮ガスとともに空間に噴射することにより、瞬時に空間に揮散させることもできる。
また、本発明の芳香剤組成物は、揮散装置を用いずに揮散させることもでき、蓋付きの容器に収容し、蓋の開閉により使用者の好みや使用される状況に応じて香りの強弱や拡散に要する時間を調節しつつ、香りを拡散することもできる。
【実施例】
【００２６】
以下、実施例等により本発明をさらに具体的に説明するが、本発明はこれらの実施例に何ら限定されない。
【００２７】
＜実施例−１〜２、比較例−１〜２、参考例−１〜２：芳香剤組成物の調製＞
予め風袋重量を測定した容量１００ｍｌのガラス製サンプル瓶に、各種溶剤及び香料を表１に示す質量で加えて室温（２０〜２５℃）で混合し、芳香剤組成物を調製した。香料として、ナチュラサイコス（Ｎａｔｕｒａｓ Ｐｓｙｃｈｏｓ）社製ラベンダーフレンチエッセンシャルオイルを用いた。
【００２８】
【表１】
2015204850.tif 000003
【００２９】
ＩＰＤ−ＡＣ：３−ヒドロキシ−３−メチルブチルアセテート
ＩＰＤ−ＤＡ：３−アセトキシ−３−メチルブチルアセテート 
ＤＰＧ：      ジプロピレングリコール（和光純薬工業株式会社製）
ＴＥＣ：      クエン酸トリエチル（和光純薬工業株式会社製）
ＭＭＢ：      ３−メチル−３−メトキシ−１−ブタノール（株式会社クラレ製、商品名「ソルフィット」）
ＤＰＭＡ：    ジプロピレングリコールモノメチルエーテルアセテート（シグマ・アルドリッチ社製）
【００３０】
＜揮発評価試験１：リードディフューザーでの揮発試験＞
上記で得られた各々の芳香剤組成物２５ｇを容量１００ｍｌのサンプル瓶に入れ、籐製のリード（直径３ｍｍ、長さ２５ｃｍ、中国製）を５本挿して室温（２０〜２５℃）で静置し、芳香剤組成物質量の減少量を経時測定して、試験開始時からの質量減少率を求めた。質量減少率（％）と経時（日）の関係を図１に示す。
【００３１】
図１に示すように、ＩＰＤ−ＤＡはＶＯＣ溶剤であるＭＭＢよりも揮発速度がやや遅いものの、既存のＬＶＰ−ＶＯＣ溶剤であるＤＰＭＡよりも速い揮発速度であり、ＩＰＤ−ＡＣはＤＰＭＡよりもやや遅い揮発速度となった。したがって、ＩＰＤ−ＡＣ及びＩＰＤ−ＤＡを用いることで、所望の揮発速度に応じた芳香剤組成物が得られる。また、ＭＭＢの場合においては、質量減少率が９０％を達したあたりから揮発速度が低下する傾向にあるが、ＩＰＤ−ＡＣやＩＰＤ−ＤＡはその程度が緩やかであった。芳香剤組成物においては揮発速度が一定であるほうが好ましく、この点ではＩＰＤ−ＤＡやＩＰＤ−ＡＣはＭＭＢよりも揮発速度が安定しており、優れていると言える。ＤＰＧやＴＥＣはＬＶＰ−ＶＯＣではあるが、揮発速度が遅すぎ、リードディフューザー向けの芳香剤組成物としては不適である。
【００３２】
＜揮発評価試験２：プラグタイプ揮散装置での揮発試験＞
前記実施例−１〜２、比較例−１〜２、参考例−１〜２で得られた各々の芳香剤組成物２５ｇを、プラグ式揮散装置（特許文献３参照）の容器に充填し、揮散装置本体に取り付け、次いで芳香剤組成物中にＰＥＴ製吸液芯（サイズ：直径７ｍｍ×長さ７５ｍｍ）を浸し、該吸液芯の芳香剤組成物に浸されていない上部の部分を揮散装置に配置した。揮散装置に取り付けられたプラグを電源に挿し込み、吸液芯上部を８０℃に加熱することによって、吸液芯に浸透した芳香剤組成物を蒸散させた。芳香剤組成物の質量変化を経時測定することによって試験開始時からの質量減少率を求めた。質量減少率（％）と経時（日）の関係を図２に示す。
【００３３】
図２に示すように、ＩＰＤ−ＡＣ及びＩＰＤ−ＤＡは既存のＬＶＰ−ＶＯＣ溶剤であるＤＰＭＡと同等、ＤＰＧよりも速い揮発速度であった。したがって、ＩＰＤ−ＡＣ及びＩＰＤ−ＤＡを用いることで、所望の揮発速度に応じた芳香剤組成物が得られる。ＴＥＣはＬＶＰ−ＶＯＣではあるが、揮発速度が遅すぎ、プラグタイプ向けの芳香剤組成物には不適である。
【産業上の利用可能性】
【００３４】
本発明により得られる芳香剤組成物は、溶剤としてＩＰＤ−ＡＣ及びＩＰＤ−ＤＡの少なくとも一種を用いる。該溶剤はＶＯＣに該当しないため、本発明の芳香剤組成物はＶＯＣの規制を受けず、安全に使用することができる。また、本発明の芳香剤組成物は、揮散速度が安定しており、居室用、車内用、収納用、トイレ用等に適用できる。さらに、リードディフューザー、プラグタイプ、ファンタイプ等の揮発装置にも適用できる。
【図１】
2015204850.tif 000004
【図２】
2015204850.tif 000005